(57)【要約】      （修正有）【課題】マッピング情報が変更される過渡期においても、正常受信できるようにする。【解決手段】マッピング情報変更部34は、相手通信装置と同じ変更タイミングにおいて、同じ内容のマッピング情報が記録されているマッピング情報記憶部31（記憶部）を選択するように、選択部33の選択先を切替える。フレーム生成部35は、選択部33が選択している記憶部のマッピング情報に基づいて、第１、第２の種類の信号をマッピングした通信フレームを生成する(変更タイミング後は、マッピング情報が変更されたことを示す変更情報を含む)。フレーム分割部36は、変更タイミング後の受信通信フレームに変更情報が含まれている場合は、選択部33によって選択されている記憶部のマッピング情報、含まれていない場合は、選択部33が選択先を切替える前に選択していた記憶部のマッピング情報に基づいて、通信フレームから第１、第２の種類の信号とを区別して取出す。【選択図】図１１
2014039183.tif 000002
【特許請求の範囲】
【請求項１】
マッピング情報が記録される複数のマッピング情報記憶部と、
該複数のマッピング情報記憶部の内の１つを選択する選択部と、
通信相手の通信装置と同じ変更タイミングにおいて、同じ内容のマッピング情報が記録されているマッピング情報記憶部を選択するように、前記選択部の選択先を切り替えるマッピング情報変更部と、
前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成するフレーム生成部と、
前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すフレーム分割部とを備えることを特徴とする通信装置。
【請求項２】
請求項１記載の通信装置において、
前記マッピング情報変更部は、マッピング情報の変更内容を含んだマッピング情報変更指示を受信したとき、前記変更タイミングにおいて前記選択部の選択先となるマッピング情報記憶部に記録されているマッピング情報を前記変更内容に従って変更することを特徴とする通信装置。
【請求項３】
請求項２記載の通信装置において、
前記マッピング情報変更部は、前記変更タイミングから所定時間が経過したとき、前記選択部によって選択されているマッピング情報記憶部に記録されているマッピング情報を、前記選択部によって選択されていないマッピング情報記憶部の何れか１つにコピーし、コピー完了後、前記選択部の選択先を、前記マッピング情報をコピーしたマッピング情報記憶部に変更させ、
前記フレーム生成部は、コピー完了後に前記選択部の選択先が変更された後は、変更情報を含まない通信フレームを生成し、
前記フレーム分割手段は、前記変更タイミングから前記所定時間が経過した後は、前記選択手段によって選択されているマッピング情報記憶部に記録されているマッピング情報に基づいて、通信フレームから前記第１の種類の信号と前記第２の種類の信号とを区別して取り出すことを特徴とする通信装置。
【請求項４】
請求項１乃至３の何れか１項に記載の通信装置において、
前記マッピング情報は、通信フレームに収容される第１の種類の信号と第２の種類の信号との割合を示すものであり、
前記第１の種類の信号は、TDM信号であり、
前記第２の種類の信号は、イーサネット信号であり、
前記通信フレームは、TDMのオーバヘッドと、TDM信号およびイーサネット信号がマッピングされたデータ部とを含むことを特徴とする通信装置。
【請求項５】
請求項１乃至４の何れか１項に記載の通信装置において、
前記マッピング情報変更指示は、更に、マッピング情報の変更タイミングを示す情報を含み、管理端末装置から送られてくるものであることを特徴とする通信装置。
【請求項６】
管理端末装置と、送信装置と、受信装置とを備え、
前記管理端末装置は、前記送信装置および前記受信装置に対して、マッピング情報の変更内容と変更タイミングとを含んだマッピング情報変更指示を送信し、
前記送信装置は、
マッピング情報が記録される複数の送信側マッピング情報記憶部と、
該複数の送信側マッピング情報記憶部の内の１つを選択する送信側選択部と、
前記受信装置と同じ変更タイミングにおいて、同じ内容の送信側マッピング情報が記録されている送信側マッピング情報記憶部を選択するように、前記送信側選択部の選択先を切り替える送信側マッピング情報変更部と、
前記送信側選択部によって選択されている送信側マッピング情報記憶部に記録されているマッピング情報に基づいて、第１の種類の信号と第２の種類の信号とをマッピングした通信フレームを生成する送信側フレーム生成手段であって、前記変更タイミング後は、マッピング情報が変更されたことを示す変更情報を含んだ通信フレームを生成する送信側フレーム生成部とを備え、
前記受信装置は、
マッピング情報が記録される複数の受信側マッピング情報記憶部と、
該複数の受信側マッピング情報記憶部の内の１つを選択する受信側選択部と、
前記送信装置と同じ変更タイミングにおいて、同じ内容のマッピング情報が記録されている受信側マッピング情報記憶部を選択するように、前記受信側選択部の選択先を切り替える受信側マッピング情報変更部と、
前記変更タイミング後に受信した通信フレームに変更情報が含まれている場合は、前記受信側選択部によって選択されている受信側マッピング情報記憶部に記録されているマッピング情報に基づいて、前記通信フレームから前記第１の種類の信号と前記第２の種類の信号とを区別して取り出し、変更情報が含まれていない場合は、前記受信側選択部が選択先を切り替える前に選択していた受信側マッピング情報記憶部に記録されているマッピング情報に基づいて、前記通信フレームから前記第１の種類の信号と前記第２の種類の信号とを区別して取り出す受信側フレーム分割部とを備えることを特徴とする通信システム。
【請求項７】
マッピング情報が記録される複数のマッピング情報記憶部と、
該複数のマッピング情報記憶部の内の１つを選択する選択部と、
通信相手の通信装置と同じ変更タイミングにおいて、同じ内容のマッピング情報が記録されているマッピング情報記憶部を選択するように、前記選択部の選択先を切り替えるマッピング情報変更部と、
前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成するフレーム生成部とを備えることを特徴とする送信装置。
【請求項８】
マッピング情報が記録される複数のマッピング情報記憶部と、
該複数のマッピング情報記憶部の内の１つを選択する選択部と、
通信相手の通信装置と同じ変更タイミングにおいて、同じ内容のマッピング情報が記録されているマッピング情報記憶部を選択するように、前記選択部の選択先を切り替えるマッピング情報変更部と、
前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すフレーム分割部とを備えることを特徴とする受信装置。
【請求項９】
マッピング情報が記録される複数のマッピング情報記憶部と、選択部と、マッピング情報変更部と、フレーム生成部と、フレーム分割部とを備えたコンピュータが実行する通信方法であって、
前記選択手段が、前記複数のマッピング情報記憶部の内の１つを選択し、
前記マッピング情報変更部が、通信相手の通信装置と同じ変更タイミングにおいて、同じ内容のマッピング情報が記録されているマッピング情報記憶部を選択するように、前記選択部の選択先を切り替え、
前記フレーム生成部が、前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成し、
前記フレーム分割部が、前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すことを特徴とする通信方法。
【請求項１０】
マッピング情報が記録される複数のマッピング情報記憶部を備えたコンピュータを通信装置として機能させるためのプログラムであって、
前記コンピュータを、
該複数のマッピング情報記憶部の内の１つを選択する選択部、
通信相手の通信装置と同じ変更タイミングにおいて、同じ内容のマッピング情報が記録されているマッピング情報記憶部を選択するように、前記選択部の選択先を切り替えるマッピング情報変更部、
前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成するフレーム生成部、
前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すフレーム分割部として機能させるためのプログラム。
【発明の詳細な説明】
【技術分野】
【０００１】
本発明は、複数種類の信号を通信フレームにマッピング（収容）することができる通信装置に関する。
【背景技術】
【０００２】
複数種類の信号を通信フレームにマッピングする技術として、ATM信号、TDM（Time Division Multiplexing）信号、及び、イーサネット（登録商標）信号を通信フレームにマッピングする技術が知られている（例えば、特許文献１参照）。
【先行技術文献】
【特許文献】
【０００３】
【特許文献１】特開２００８−１６０６５８号公報
【発明の概要】
【発明が解決しようとする課題】
【０００４】
また、複数の無線基地局を収容してコアネットワークに接続するモバイルバックホール領域で使用される無線通信装置などの通信装置では、TDMフレームのデータ部（固定長）にTDM信号とイーサネット信号とをマッピングするようにしているものがある。このような通信装置は、内部にマッピング情報が記録されたマッピング情報記憶部を備えている。マッピング情報は、TDMフレームにマッピングするTDM信号とイーサネット信号の割合を示す情報であり、例えば、マッピングするTDM信号のチャネル数とすることができる。そして、TDMフレームの送信時には、マッピング情報記憶部に記録されたマッピング情報に基づいて、TDMフレームのデータ部にTDM信号とイーサネット信号とをマッピングする。例えば、マッピング情報がTDM信号のチャネル数によって表される場合は、マッピング情報によって指定されたチャネル数分のTDM信号をデータ部にマッピングし、残りの部分にイーサネット信号をマッピングする。また、TDMフレームの受信時には、マッピング情報記憶部に記録されているマッピング情報に基づいて、TDMフレームのデータ部から、TDM信号とイーサネット信号とを区別して取り出す。
【０００５】
ところで、近年、モバイルバックホール領域では、全ての通信をIP(Internet Protocol)化する動きがあり、これに伴ってモバイルバックホール領域で使用する通信装置においてはマッピングするイーサネット信号の割合を増加させ、TDM信号の割合を減少させる必要がある。マッピングするイーサネット信号とTDM信号との割合を変更するためには、マッピング情報記憶部に記録されているマッピング情報を変更すれば良い。
【０００６】
ここで、送信側および受信側の通信装置内のマッピング情報記憶部に記録されているマッピング情報が一致していないと、信号を正常受信できない。今、例えば、TDMフレームのデータ部には、64チャネル分のデータ（信号）を収容でき、送信側および受信側の通信装置のマッピング情報記憶部に記録されているマッピング情報がそれぞれ「TDM Ch＝32（マッピングするTDM信号のチャネル数＝32）」「TDM Ch＝33（マッピングするTDM信号のチャネル数＝33）」であるとする。この場合、送信側の通信装置は、図１２（Ａ）に示すように、32チャネル分のTDM信号Ch-1〜Ch-32と、32チャネル分のイーサネット信号ETH-1〜ETH-32とをデータ部にマッピングしたTDMフレームを受信側へ送信する。しかし、受信側の通信装置では、受信したＴＤＭフレームのデータ部には、図１２（Ｂ）に示すように、33チャネル分のTDM信号Ch1〜Ch33と、31チャネル分のイーサネット信号ETH#1〜ETH#31とがマッピングされていると認識しているので、TDM信号を正常に受信することができない。なお、図１２においてTDM OHは、オーバヘッドを表している。
【０００７】
このように、送信側および受信側の通信装置内のマッピング情報記憶部に記録されているマッピング情報が一致していないと、信号を正常受信できない。そこで、送信側および受信側の通信装置で、マッピング情報記憶部に記録されているマッピング情報を同時に変更するということが考えられる。しかし、送信側と受信側で同時にマッピング情報を変更するようにしても、マッピング情報の変更前に送信側の通信装置から送信し、マッピング情報の変更後に受信側の通信装置で受信したTDMフレームについては、信号を正常受信することができない。
【０００８】
［本発明の目的］
そこで、本発明の目的は、マッピング情報が変更される過渡期に、通信フレームにマッピングされている信号を正常受信できないという課題を解決した通信装置を提供することにある。
【課題を解決するための手段】
【０００９】
本発明にかかる通信装置は、
マッピング情報が記録される複数のマッピング情報記憶部と、
該複数のマッピング情報記憶部の内の１つを選択する選択部と、
通信相手の通信装置と同じ変更タイミングにおいて、同じ内容のマッピング情報が記録されているマッピング情報記憶部を選択するように、前記選択部の選択先を切り替えるマッピング情報変更部と、
前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成するフレーム生成部と、
前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すフレーム分割部とを備える。
【００１０】
本発明にかかる通信システムは、
管理端末装置と、送信装置と、受信装置とを備え、
前記管理端末装置は、前記送信装置および前記受信装置に対して、マッピング情報の変更内容と変更タイミングとを含んだマッピング情報変更指示を送信し、
前記送信装置は、
マッピング情報が記録される複数の送信側マッピング情報記憶部と、
該複数の送信側マッピング情報記憶部の内の１つを選択する送信側選択部と、
前記受信装置と同じ変更タイミングにおいて、同じ内容の送信側マッピング情報が記録されている送信側マッピング情報記憶部を選択するように、前記送信側選択部の選択先を切り替える送信側マッピング情報変更部と、
前記送信側選択部によって選択されている送信側マッピング情報記憶部に記録されているマッピング情報に基づいて、第１の種類の信号と第２の種類の信号とをマッピングした通信フレームを生成する送信側フレーム生成手段であって、前記変更タイミング後は、マッピング情報が変更されたことを示す変更情報を含んだ通信フレームを生成する送信側フレーム生成部とを備え、
前記受信装置は、
マッピング情報が記録される複数の受信側マッピング情報記憶部と、
該複数の受信側マッピング情報記憶部の内の１つを選択する受信側選択部と、
前記送信装置と同じ変更タイミングにおいて、同じ内容のマッピング情報が記録されている受信側マッピング情報記憶部を選択するように、前記受信側選択部の選択先を切り替える受信側マッピング情報変更部と、
前記変更タイミング後に受信した通信フレームに変更情報が含まれている場合は、前記受信側選択部によって選択されている受信側マッピング情報記憶部に記録されているマッピング情報に基づいて、前記通信フレームから前記第１の種類の信号と前記第２の種類の信号とを区別して取り出し、変更情報が含まれていない場合は、前記受信側選択部が選択先を切り替える前に選択していた受信側マッピング情報記憶部に記録されているマッピング情報に基づいて、前記通信フレームから前記第１の種類の信号と前記第２の種類の信号とを区別して取り出す受信側フレーム分割部とを備える。
【００１１】
本発明にかかる送信装置は、
マッピング情報が記録される複数のマッピング情報記憶部と、
該複数のマッピング情報記憶部の内の１つを選択する選択部と、
通信相手の通信装置と同じ変更タイミングにおいて、同じ内容のマッピング情報が記録されているマッピング情報記憶部を選択するように、前記選択部の選択先を切り替えるマッピング情報変更部と、
前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成するフレーム生成部とを備える。
【００１２】
本発明にかかる受信装置は、
マッピング情報が記録される複数のマッピング情報記憶部と、
該複数のマッピング情報記憶部の内の１つを選択する選択部と、
通信相手の通信装置と同じ変更タイミングにおいて、同じ内容のマッピング情報が記録されているマッピング情報記憶部を選択するように、前記選択部の選択先を切り替えるマッピング情報変更部と、
前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すフレーム分割部とを備える。
【００１３】
本発明にかかる通信方法は、
マッピング情報が記録される複数のマッピング情報記憶部と、選択部と、マッピング情報変更部と、フレーム生成部と、フレーム分割部とを備えたコンピュータが実行する通信方法であって、
前記選択手段が、前記複数のマッピング情報記憶部の内の１つを選択し、
前記マッピング情報変更部が、通信相手の通信装置と同じ変更タイミングにおいて、同じ内容のマッピング情報が記録されているマッピング情報記憶部を選択するように、前記選択部の選択先を切り替え、
前記フレーム生成部が、前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成し、
前記フレーム分割部が、前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出す。
【００１４】
本発明にかかるプログラムは、
マッピング情報が記録される複数のマッピング情報記憶部を備えたコンピュータを通信装置として機能させるためのプログラムであって、
前記コンピュータを、
該複数のマッピング情報記憶部の内の１つを選択する選択部、
通信相手の通信装置と同じ変更タイミングにおいて、同じ内容のマッピング情報が記録されているマッピング情報記憶部を選択するように、前記選択部の選択先を切り替えるマッピング情報変更部、
前記選択部によって選択されているマッピング情報記憶部に記録されているマッピング情報に基づいて、第１の種類の信号と第２の種類の信号とをマッピングした通信フレームを生成するフレーム生成手段であって、前記変更タイミング後は、マッピング情報が変更されたことを示す変更情報を含んだ通信フレームを生成するフレーム生成部、
前記変更タイミング後に受信した通信フレームに変更情報が含まれている場合は、前記選択部によって選択されているマッピング情報記憶部に記録されているマッピング情報に基づいて、前記通信フレームから前記第１の種類の信号と前記第２の種類の信号とを区別して取り出し、変更情報が含まれていない場合は、前記選択部が選択先を切り替える前に選択していたマッピング情報記憶部に記録されているマッピング情報に基づいて、前記通信フレームから前記第１の種類の信号と前記第２の種類の信号とを区別して取り出すフレーム分割部として機能させる。
【発明の効果】
【００１５】
本発明によれば、マッピング情報が変更される過渡期であっても、通信フレームにマッピングされている信号を正常受信することができるという効果を得ることができる。
【図面の簡単な説明】
【００１６】
【図１】本発明の第１の実施の形態にかかる通信システム構成例を示すブロック図である。
【図２】TDMフレームの一例を示す図である。
【図３】無線通信カード１１の構成例を示すブロック図である。
【図４】マッピング情報と、マッピングされる信号との関係を示すための図である。
【図５】回線信号処理部１６の構成例を示すブロック図である。
【図６】マッピング情報管理部１６６の構成例を示すブロック図である。
【図７】第１の実施の形態の動作を説明するためのタイムチャートである。
【図８】マッピング情報管理部１６６の処理例を示すフローチャートである。
【図９】TDMフレーム生成部１６５の処理例を示すフローチャートである。
【図１０】TDMフレーム分解部１６７の処理例を示すフローチャートである。
【図１１】本発明の第２の実施の形態にかかる通信装置の構成例を示すブロック図である。
【図１２】背景技術の問題点を説明するための図である。
【発明を実施するための形態】
【００１７】
次に、本発明の実施の形態について、図面を参照して詳細に説明する。
【００１８】
［本発明の第１の実施の形態］
図１を参照すると、本発明の第１の実施の形態にかかる通信システムは、無線通信装置１，２と、保守管理を行うためのNMS(Network Management System)端末装置３，４とを備えている。
【００１９】
無線通信装置１，２は、図２に示すように、TDMの各チャネルの信号Ch-1〜Ch-iと、各イーサネット信号ETH-1〜ETH-jとをデータ部にマッピングしたTDMフレームを無線により送受信する。なお、以下の説明では、TDMフレームのデータ部には、１チャネル当たり「ｋビット」で、６４チャネル分のデータ（ｋ×６４ビット）を収容できるとする。
【００２０】
NMS端末装置３，４は、変更後のマッピング情報と、変更時刻とを含むマッピング情報変更指示を無線通信装置１，２へ送信する。なお、NMS端末装置３，４から無線通信装置１，２へは同一内容のマッピング情報変更指示を送信する。
【００２１】
図３を参照すると、無線通信装置１，２に実装されている無線通信カード１１は、イーサネット信号ETH-1〜ETH-64の入力端子12-1〜12-64と、TDM信号Ch-1〜Ch-64の入力端子13-1〜13-64と、イーサネット信号ETH-1〜ETH-64の出力端子14-1〜14-64と、TDM信号Ch-1〜Ch-64の出力端子15-1〜15-64と、回線信号処理部１６と、変復調部１７と、送受信部１８と、無線信号の出力端子１９と、無線信号の入力端子２０とを備えている。なお、本実施の形態では、イーサネット信号およびTDM信号の入力には、番号が若い入力端子を優先的に使用し、また、イーサネット信号およびTDM信号の出力には、番号が若い入力端子を優先的に使用する。例えば、３０回線分のイーサネット信号ETH-1〜ETH-30を入力する場合には、入力端子12-1〜12-30を利用してイーサネット信号を入力することになる。
【００２２】
回線信号処理部１６は、マッピング情報が示す割合で、データ部にTDM信号とイーサネット信号とをマッピングしたTDMフレームを生成し、変復調部１７に出力する機能を有する。例えば、TDMフレームのデータ部には64チャネル分の信号が収容可能であり、マッピング情報が「TDM Ch＝30」であるとすると、図４に示すように、入力端子13-1〜13-30から入力されたTDM信号Ch-1〜Ch-30と、入力端子12-1〜12-34から入力されたイーサネット信号ETH-1〜ETH-34とをデータ部にマッピングしたTDMフレームを生成し、変復調部１７に出力する。更に、回線信号処理部１６は、マッピング情報に基づいて、変復調部１７から渡されたTDMフレームから、TDM信号とイーサネット信号とを区別して取り出し、該当する出力端子から出力する。例えば、TDMフレームのデータ部には６４チャネル分の信号が収容可能であり、マッピング情報が「TDM Ch＝30」であるとすると、TDMフレームのデータ部からTDM信号Ch-1〜Ch-30及びイーサネット信号ETH-1〜ETH-34を取り出し、それぞれ出力端子15-1〜15-30及び出力端子14-1〜14-34へ出力する。なお、回線信号処理部１６の詳細な構成については、後で、図５および図６を参照して説明する。
【００２３】
変復調部１７は、回線信号処理部１６から入力されたTDMフレームを変調して送受信部１８に渡す機能や、送受信部１８からの変調信号を復調してTDMフレームを出力する機能を有する。
【００２４】
送受信部１８は、変復調部１７からの変調信号を無線信号に変換して出力端子１９へ出力する機能や、入力端子２０からの無線信号を変調信号に変換して変復調部１７へ出力する機能を有する。
【００２５】
図５を参照すると、回線信号処理部１６（無線通信装置１内の回線信号処理部１６とする）は、装置内受信部１６１と、イーサネット信号バッファ部１６２と、TDMオーバヘッドバッファ部１６３と、TDM信号バッファ部１６４と、TDMフレーム生成部１６５と、マッピング情報管理部１６６と、TDMフレーム分割部１６７と、イーサネット信号バッファ部１６８と、TDMオーバヘッドバッファ部１６９と、TDMデータバッファ部１７０と、装置内送信部１７１とを備えている。
【００２６】
イーサネット信号バッファ部１６２には、入力端子12-1〜12-64毎のバッファ領域が設けられている。各バッファ領域のサイズは、TDMフレームのデータ部にマッピングされる１チャネル分のTDM信号のビット数（前述したｋビット）に等しい。TDMオーバヘッドバッファ部１６３には、TDMフレームのオーバヘッドのサイズ分のバッファ領域が設けられている。TDM信号バッファ部１６４には、入力端子13-1〜13-64毎のバッファ領域が設けられている。各バッファ領域のサイズは、TDMフレームのデータ部にマッピングされる１チャネル分のTDM信号のビット数（前述したｋビット）に等しい。
【００２７】
装置内受信部１６１は、イーサネット信号の入力端子12-1〜12-64の内の、実際にイーサネット信号が入力されている入力端子それぞれについて、その入力端子から入力されるイーサネット信号を、ｋビット分ずつ、順次イーサネット信号バッファ部１６２に設けられている対応するバッファ領域に記録する機能を有する。前述したように、本実施の形態では、イーサネット信号の入力には、番号が若い入力端子が優先的に利用される。
【００２８】
更に、装置内受信部１６１は、TDM信号の入力端子13-1〜13-64の内の、実際にTDM信号が入力されている入力端子それぞれについて、その入力端子から入力されたTDM信号を、ｋビット分ずつ、順次TDM信号バッファ部１６４に設けられている対応するバッファ領域に記録する機能を有する。前述したように、本実施の形態では、TDM信号の入力には、番号が若い入力端子が優先的に利用される。また、装置内受信部１６１は、TDM信号バッファ部164の該当する各バッファ領域に、ｋバイト分のデータを記録する毎に、TDMのオーバヘッドをTDMオーバヘッドバッファ部１６３に記録する機能を有する。
【００２９】
マッピング情報管理部１６６（無線通信装置１内のマッピング情報管理部１６６とする）は、NMS端末装置３からのマッピング情報変更指示に従ってマッピング情報を変更する機能などを有する。図６を参照すると、マッピング情報管理部１６６は、マッピング情報変更部１８０と、第１および第２のマッピング情報記憶部１８１，１８２と、セレクタ１８３とを備えている。
【００３０】
マッピング情報変更部１８０は、NMS端末装置３から変更後のマッピング情報と変更時刻とを含んだマッピング情報変更指示を受信したとき、第２のマッピング情報記憶部１８２に記録されているマッピング情報を、変更後のマッピング情報に変更する機能や、上記変更時刻になったとき、TDMフレーム生成部１６５、TDMフレーム分割部１６７および第１のセレクタ１８３に対して出力しているマッピング情報変更ビットを“０”から“１”に変更する機能や、上記変更時刻から一定時間が経過したとき、第２のマッピング情報記憶部１８２に記録されている変更後のマッピング情報を変更前のマッピング情報が記録されている第１のマッピング情報記憶部１８１にコピーし、その後、マッピング情報変更ビットを“１”から“０”に変更する機能を有する。なお、上記一定時間は、送信側の無線通信装置がTDMフレームを送信してから、受信側の無線通信装置が上記TDMフレームを受信するまでの時間よりも長い時間にする必要がある。
【００３１】
セレクタ１８３は、マッピング情報変更部１８０から出力されているマッピング情報変更ビットが“０”の場合は、第１のマッピング情報記憶部１８１を選択し、“１”の場合は第２のマッピング情報記憶部１８２の選択する機能や、TDMフレーム生成部１６５からマッピング情報が要求された場合は、現在選択している方のマッピング情報記憶部に記録されているマッピング情報を渡す機能や、TDMフレーム分割部１６７から選択側のマッピング情報が要求された場合は、現在選択している方のマッピング情報記憶部に記録されているマッピング情報を渡し、非選択側にマッピング情報が要求された場合は、現在選択していない方のマッピング情報記憶部に記録されているマッピング情報を渡す。
【００３２】
図５に戻り、TDMフレーム生成部１６５は、各バッファ部１６２〜１６４に記録されている情報と、第１および第２のマッピング情報記憶部１８１，１８２の内のセレクタ１８３によって選択されているマッピング情報記憶部に記録されているマッピング情報と、マッピング情報管理部１６６から出力されているマッピング情報変更ビットとに基づいて、TDM信号およびイーサネット信号をデータ部にマッピングしたTDMフレームを生成し、変復調部１７へ出力する機能を有する。なお、TDMフレーム生成部１６５は、マッピング情報変更ビットが“１”の場合は、オーバヘッドの特定ビットを“１”とし、マッピング情報変更ビットが“０”の場合は、オーバヘッドの特定ビットを“０”としたTDMフレームを生成する。
【００３３】
イーサネット信号バッファ部１６８には、出力端子14-1〜14-64毎のバッファ領域が設けられている。各バッファ領域のサイズは、TDMフレームのデータ部にマッピングされる１チャネル分のTDM信号のビット数（ｋビット）に等しい。TDMオーバヘッドバッファ部１６９には、TDMフレームのオーバヘッドのサイズ分のバッファ領域が設けられている。TDM信号バッファ部１７０には、出力端子15-1〜15-64毎のバッファ領域が設けられている。各バッファ領域のサイズは、TDMフレームのデータ部にマッピングされる１チャネル分のTDM信号のビット数（Kビット）に等しい。
【００３４】
TDMフレーム分割部１６７は、マッピング情報変更部１８０から出力されているマッピング情報変更ビットが“０”の場合、および、マッピング情報変更ビットが“１”であって、且つ、変復調部１７から渡されたTDMフレームのオーバヘッドの特定ビットが“１”の場合は、セレクタ１８３に対して選択側のマッピング情報を要求し、マッピング情報変更ビットが“１”で、且つ、上記特定ビットが“０”の場合は非選択側のマッピング情報を要求する機能や、上記要求に応答してセレクタ１８３から送られてきたマッピング情報に基づいて、変復調部１７から渡されたTDMフレームから、イーサネット信号と、TDMのオーバヘッドと、TDM信号とを区別して取り出す機能や、取りだしたイーサネット信号、オーバヘッド、及び、TDM信号をそれぞれイーサネット信号バッファ部１６８、TDMオーバヘッドバッファ部１６９、及び、TDM信号バッファ部１７０に記録する機能を有する。
【００３５】
装置内送信部１７１は、イーサネット信号バッファ部１６８に設けられているバッファ領域の内の、有効なイーサネット信号が記録されているバッファ領域からイーサネット信号を取り出して該当する出力端子に出力する機能や、TDM信号バッファ部１７０に設けられているバッファ領域の内の、有効なTDM信号が記録されているバッファ領域からTDM信号を取り出して該当する出力端子に出力する機能を有する。
【００３６】
なお、回線信号処理部１６は、ＣＰＵ（中央処理装置）によって実現可能であり、その場合には、例えば、次のようにする。ＣＰＵを回線信号処理部１６として機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に装置内受信部１６１、TDMフレーム生成部１６５、マッピング情報管理部１６６、TDMフレーム分割部１６７、装置内送信部１７１を実現する。
【００３７】
［第１の実施の形態の動作］
次に、本実施の形態の動作について詳細に説明する。
【００３８】
今、無線通信装置１，２で利用しているマッピング情報を変更するために、NMS端末装置３，４から無線通信装置１，２に対して同一内容のマッピング情報変更指示が送信されたとする（図７の時刻ｔ１）。マッピング情報変更指示には、変更後のマッピング情報と変更時刻とが含まれている。このマッピング情報は、無線通信装置１，２内のマッピング情報管理部１６６で受信される。
【００３９】
マッピング情報管理部１６６内のマッピング情報変更部１８０は、マッピング情報変更指示を受信すると、図８のフローチャートに示すように、第１および第２のマッピング情報記憶部１８１，１８２の内の、セレクタ１８３によって選択されていないマッピング情報記憶部に変更後のマッピング情報を書き込む（ステップＳ８１）。この時点では、図７に示すように、マッピング情報変更ビットが“０”になっており、第１のマッピング情報記憶部１８１が選択されているので、第２のマッピング情報記憶部１８２に変更後のマッピング情報が書き込まれる。
【００４０】
また、マッピング情報変更ビットが“０”となっているこの状態では、TDMフレーム生成部１６５において、次のような処理が行われる。
【００４１】
TDMフレーム生成部１６５では、図９に示すように、セレクタ１８３に対してマッピング情報を要求し、現在セレクタ１８３によって選択されているマッピング情報記憶部１８１に記録されているマッピング情報（変更前のマッピング）を取得する（ステップＳ９１）。その後、マッピング情報変更ビットが“１”になっているか否かを調べる（ステップＳ９２）。この場合、マッピング情報変更ビットは“０”であるので（ステップＳ９２がＮｏ）、TDMフレーム生成部１６５は、TDMオーバヘッドバッファ部１６３からTDMのオーバヘッドを取り出し、その特定ビットを“０”とする（ステップＳ９３）。特定ビットを“０”とするのは、変更前のマッピング情報を利用して生成したTDMフレームであることを示すためである。なお、特定ビットとしては、既存装置との通信を考慮し、リザーブ領域にある未使用の１ビットを使用する。
【００４２】
次に、TDMフレーム生成部１６５は、TDMデータバッファ部１６３からマッピング情報によって示されるチャネル数分のTDM信号を取り出し、TDMフレームのデータ部にマッピングする（ステップＳ９５、Ｓ９６）。
【００４３】
その後、TDMフレーム生成部１６５は、イーサネット信号バッファ部１６２からマッピング情報によって示されるチャネル数分のイーサネット信号を取り出し、TDMフレームのデータ部にマッピングする（ステップＳ９７、Ｓ９８）。これにより、データ部にTDM信号とイーサネット信号をマッピングした図２に示すようなTDMフレームが生成される。
【００４４】
そして、生成したTDMフレームを変復調部１７へ送信した後（ステップＳ９９）、再びステップＳ９１の処理を行う。
【００４５】
再び、図８に戻り、マッピング情報変更部１８０は、ステップＳ８１の処理が完了すると、マッピング情報変更指示によって指定されている変更時刻になるのを待ち、変更時刻になると、TDMフレーム生成部１６５およびセレクタ１８３に対して出力しているマッピング情報変更ビットを“０”から“１”に変更する（ステップＳ８２、Ｓ８３、図７の時刻ｔ２）。これにより、セレクタ１８３は、第２のマッピング情報記憶部１８２を選択した状態になる。
【００４６】
また、マッピング情報変更ビットが“１”になっているこの状態では、TDMフレーム生成部１６５において、次のような処理が行われる。
【００４７】
TDMフレーム生成部１６５では、図９に示すように、セレクタ９１に対してマッピング情報を要求し、現在選択されているマッピング情報記憶部１８２に記録されているマッピング情報（変更後のマッピング）を取得する（ステップＳ９１）。その後、マッピング情報変更ビットが“１”になっているか否かを調べる（ステップＳ９２）。この場合、マッピング情報変更ビットは“１”であるので（ステップＳ９２がＹｅｓ）、TDMフレーム生成部１６５は、TDMオーバヘッドバッファ部１６３からTDMのオーバヘッドを取り出し、その特定ビットを“１”とする（ステップＳ９３）。特定ビットを“１”とするのは、変更後のマッピング情報を利用して生成したTDMフレームであることを示すためである。その後の処理は、マッピング情報変更ビットが“０”の場合と同様である。
【００４８】
再び、図８に戻り、マッピング情報変更部１８０はマッピング情報変更ビットを“１”にした時点（図７の時刻ｔ２）から所定時間が経過すると（ステップＳ８４がＹｅｓ、図７の時刻ｔ３）、第２のマッピング情報記憶部１８２に記録されている変更後のマッピング情報を、第１のマッピング情報記憶部１８１にコピーする（ステップＳ８５）。そして、コピーが完了すると（図７の時刻ｔ４）、マッピング情報を“１”から“０”に変更する（ステップＳ８６）。これにより、セレクタ１８３は第１のマッピング情報を選択する状態になる。
【００４９】
次に、図１０のフローチャートを参照してTDMフレーム分割部１６７の動作を説明する。
【００５０】
TDMフレーム分割部１６７は、変復調部１７からTDMフレームが渡されると、図１０のフローチャートに示すように、マッピング情報変更部１８０から出力されているマッピング情報変更ビットが“１”になっているか否かを判定する（ステップＳ１０１）。そして、マッピング情報変更ビットが“０”になっている場合（ステップＳ１０１がＮｏ）は、セレクタ１８３に対して選択側のマッピング情報を要求し、セレクタ１８３によって選択されているマッピング情報記憶部に記録されているマッピング情報を取得する（ステップＳ１０４）。つまり、マッピング情報変更ビットが“０”になっている期間（図７の時刻ｔ２よりも前の期間、及び、時刻ｔ４以降の期間）に受信したTDMフレームは、現在セレクタ１８３によって選択されているマッピング情報記憶部に記録されているマッピング情報と同じマッピング情報に基づいて生成されたものであるので、セレクタ１８３に対して選択側のマッピング情報を要求する。
【００５１】
これに対して、マッピング情報変更ビットが“１”となっている期間（図７の時刻２から時刻ｔ４までの期間）に受信したTDMフレームは、現在セレクタ１８３が選択していないマッピング情報記憶部１８１に記録されている変更前のマッピング情報に基づいて生成したものである可能性もあるので、TDMフレームのオーバヘッドの特定ビットが“１”になっているか否かを調べることにより、受信したTDMフレームが更新後のマッピング情報に基づいて生成されたもので有るか否かを判定する（ステップＳ１０２）。
【００５２】
そして、オーバヘッドの特定ビットが“１”の場合（ステップＳ１０２がＹｅｓ）は、受信したTDMフレームは、現在セレクタ１８３が選択しているマッピング情報記憶部１８２に記録されている変更後のマッピング情報と同じマッピング情報に基づいて生成されたものであると判断し、ステップＳ１０４の処理を行う。これに対して、オーバヘッドの特定ビットが“０”の場合（ステップＳ１０２がＮｏ）は、受信したTDMフレームは、現在セレクタ１８３が選択していない方のマッピング情報記録部１８１に記憶されている変更前のマッピング情報と同じマッピング情報に基づいて生成されたものであると判断し、ステップＳ１０３の処理を行う。ステップＳ１０３では、セレクタ１８３に対して非選択側のマッピング情報を要求し、セレクタ１８３によって選択されていない方のマッピング情報記憶部１８１に記録されている更新前のマッピング情報を取得する。
【００５３】
その後、TDMフレーム分解部１６７は、TDMフレームのオーバヘッドをオーバヘッドバッファ部１６９に記録する（ステップＳ１０５）。更に、TDMフレーム分解部１６７は、ステップＳ１０３或いはステップＳ１０４で取得したマッピング情報によって示されるチャネル数分のTDM信号をTDMフレームから取り出してTDM信号バッファ部１７０に書き込み、次いで、上記マッピング情報によって示されるチャネル数分のイーサネット信号をTDMフレームから取り出してイーサネット信号バッファ部１６８に書き込む。
【００５４】
なお、上述した実施の形態では、マッピング情報変更指示に含まれている変更時刻になったとき、マッピング情報を変更するようにしたが、マッピング情報変更指示にマッピング情報を変更するまでの時間（変更時間）を記録しておき、マッピング情報変更指示を受信してから上記変更時間が経過したとき、マッピング情報を変更するようにしてもよい。また、上述した実施の形態では、TDMフレームのオーバヘッドの特定の１ビットを利用して、そのTDMフレームがマッピング情報の変更直後に生成されたものであるか否かを示すようにしたが、複数ビットを利用してマッピング情報の変更直後に生成されたものか否かを示すようにしてもよい。また、本実施の形態では、TDMフレームにマッピングする信号を、TDM信号とイーサネット信号としたが、マッピングする信号の種類および数は、これに限られるものではない。
【００５５】
［第１の実施の形態の効果］
本実施の形態によれば、マッピング情報が変更される過渡期であっても、通信フレームにマッピングされている信号を正常受信することができるという効果を得ることができる。その理由は、マッピング情報の変更後は、生成するTDMフレームのオーバヘッドの特定ビットを“１”とし、受信側において上記TDMフレームが変更前のマッピング情報に基づいて生成されたものなのか、変更後のマッピング情報に基づいて生成されたものなのかを判別できるようにしたからである。
【００５６】
［本発明の第２の実施の形態］
図１１を参照すると、本発明の第２の実施の形態にかかる通信装置は、複数のマッピング情報記憶部31-1〜31-nと、選択部３３と、マッピング情報変更部３４と、フレーム生成部３５と、フレーム分割部３６とを備えている。
【００５７】
マッピング情報記憶部31-1〜31-nには、マッピング情報が記録される。選択部３３は、複数のマッピング情報記憶部31-1〜31-nの内の１つを選択する。マッピング情報変更部３４は、通信相手の通信装置と同じ変更タイミングにおいて、同じ内容のマッピング情報が記録されているマッピング情報記憶部を選択するように、選択部３３の選択先を切り替える。
【００５８】
フレーム生成部３５は、選択部３３によって選択されているマッピング情報記憶部に記録されているマッピング情報に基づいて、第１の種類の信号と第２の種類の信号とをマッピングした通信フレームを生成する。なお、変更タイミング後は、変更タイミング後は、マッピング情報が変更されたことを示す変更情報を含んだ通信フレームを生成する。
【００５９】
フレーム分割部３６は、変更タイミング後に受信した通信フレームに変更情報が含まれている場合は、選択部３３によって選択されているマッピング情報記憶部に記録されているマッピング情報に基づいて、通信フレームから第１の種類の信号と第２の種類の信号とを区別して取り出し、変更情報が含まれていない場合は、選択部３３が選択先を切り替える前に選択していたマッピング情報記憶部に記録されているマッピング情報に基づいて、通信フレームから第１の種類の信号と第２の種類の信号とを区別して取り出す。
【００６０】
［第２の実施の形態の効果］
本実施の形態によれば、マッピング情報が変更される過渡期であっても、通信フレームにマッピングされている信号を正常受信することができるという効果を得ることができる。その理由は、マッピング情報の変更タイミング後は、生成する通信フレームに、マッピング情報が変更されたことを示す変更情報を含ませておき、受信側において、受信した通信フレームが変更前のマッピングに基づいて生成されたものなのか、変更後のマッピング情報に基づいて生成されたものなのかを判定できるようにしたからである。
【産業上の利用可能性】
【００６１】
本発明は、モバイルバックホール領域で使用される通信装置に利用すると、好適である。
【符号の説明】
【００６２】
１，２  無線通信装置
３，４      NMS端末装置
１６    回線信号処理部
１７    変復調部
１８    送受信部
３１−１〜３１−ｎ  マッピング情報記憶部
３３    選択部
３４    マッピング情報変更部
３５    フレーム生成部
３６    フレーム分割部
１６１  装置内受信部
１６２  イーサネット信号バッファ部
１６３  TDMオーバヘッドバッファ部
１６４  TDM信号バッファ部
１６５  TDMフレーム生成部
１６６  マッピング情報管理部
１６７  TDMフレーム分解部
１６８  イーサネット信号バッファ部
１６９  オーバヘッドバッファ部
１７０  TDMデータバッファ部
１７１  装置内送信部
１８０  マッピング情報変更部
１８１，１８２  マッピング情報記憶部
１８３  セレクタ
【図１】
2014039183.tif 000003
【図２】
2014039183.tif 000004
【図３】
2014039183.tif 000005
【図４】
2014039183.tif 000006
【図５】
2014039183.tif 000007
【図６】
2014039183.tif 000008
【図７】
2014039183.tif 000009
【図８】
2014039183.tif 000010
【図９】
2014039183.tif 000011
【図１０】
2014039183.tif 000012
【図１１】
2014039183.tif 000013
【図１２】
2014039183.tif 000014